(57)【要約】      （修正有）【課題】背帯補助具を簡単な構造で構成することにより、背帯に腕を通しやすくし、かつファッション性や付加機能の可能性を広げた背負い運搬具の背帯補助具を提供する。【解決手段】材料を用いてＶ字型または底辺の広いＶ字型に成型され、Ｖ字型の各辺を夫々左右の背帯Ｓ１，Ｓ２に固定して左右の背帯を連結することを特徴とする。左右の背帯を連動させることにより、片方の腕を通した後、もう片方の腕を通し易くした。また、両方の背帯びの角度を一定に保ち、肩からずり落ちるのを防止する他、背帯びに一定の平面を確保して背帯びの機能を拡張し、ファッションの可能性を高める。【選択図】図３
0003191298.tif 000002
【実用新案登録請求の範囲】
【請求項１】
棒かパイプまたは平面の硬性の材料を用いてＶ字型または底辺の広いＶ字型に成型され、該Ｖ字型の各辺を夫々左右の背帯に固定して該左右の背帯を連結することを特徴とする背帯補助具。
【請求項２】
前記材料を組み合わせることによりＶ字型または底辺の広いＶ字型に成型されることを特徴とする請求項１に記載の背帯補助具。
【請求項３】
前記左右の背帯を通すホルダーを有することを特徴とする請求項１又は請求項２に記載の背帯補助具。
【請求項４】
前記Ｖ字型の角度を任意に変更できることを特徴とする請求項１から請求項３のいずれかに記載の背帯補助具。
【請求項５】
前記Ｖ字型の底の広さすなわち前記Ｖ字型の両辺の間隔を任意に変更できることを特徴とする請求項１から請求項４のいずれかに記載の背帯補助具。
【考案の詳細な説明】
【技術分野】
【０００１】
本考案は、背帯補助具に関するものである。
【背景技術】
【０００２】
背負い運搬具では、まず一方の背帯に腕を通し、次にもう片方の背帯に他方の腕を通して背負うのが一般であるが、背帯は各々独立しているため、一方に腕を通しても、他方の背帯は影響を受けずに垂れ下がり、背面の背帯に腕を通すのに困難を伴うことがあった。
【０００３】
また、背帯が肩から落ちやすくなるのを防止するため、左右の背帯の広がりを防止する胸ベルトが提案されている（特許文献１）が、これは体の前面で左右の背帯の広がりを防止するもので、背中の背帯の広がりを直接防止するものではない上、背負うごとに着脱する手間があった。
【先行技術文献】
【特許文献】
【０００４】
【特許文献１】実第３０２６１４３号公報
【考案の概要】
【考案が解決しようとする課題】
【０００５】
従来の背負い運搬具に用いられている背帯は、左右独立してリュック本体に取り付けられているため、片方の背帯に一方の片腕を通しても、もう片方の背帯はリュック本体に沿って垂れ下がり、他方の片腕を背帯に通すのに困難を伴う場合がある。
特に、四十肩や五十肩などの障害をもつ高齢者には難しい作業である。
【０００６】
また、背負い運搬具の背帯が肩からずり落ちそうになる場合がある。
【０００７】
さらに、リュック本体の形状は曲面で構成されているため、夜間の歩行の安全を確保するために後続の車両から視認しやすくするための反射板を有効に設置することができない。
【０００８】
他方、背負い運搬具に様々なアイテムを取り付けるファッションが一般化しているが、アイテムをリュック本体に取り付けるのみで、背帯部分を含む背中の広い面がファッションのデッドスペースとなっている。
【課題を解決するための手段】
【０００９】
本願考案の背帯補助具は、棒かパイプまたは平面の硬性の材料を用いてＶ字型または底辺の広いＶ字型に成型され、該Ｖ字型の各辺を夫々左右の背帯に固定して該左右の背帯を連結する。
【００１０】
本願考案の背帯補助具は、前記材料を組み合わせることによりＶ字型または底辺の広いＶ字型に成型される。
【００１１】
本願考案の背帯補助具は、前記左右の背帯を通すホルダーを有する。
【００１２】
本願考案の背帯補助具は、前記V字型の角度を任意に変更できる。
【００１３】
本願考案の背帯補助具は、前記V字型の底の広さすなわち前記V字型の両辺の間隔を任意に変更できる。
【考案の効果】
【００１４】
背負い運搬具を背負う際に、左右の背帯を連動させることにより、片方の背帯に腕を通すと他方の背帯も持ち上がり、リュック本体との間に空間を確保し腕を通しやすくなる。
【００１５】
左右の背帯の角度を固定することにより、背帯が肩からずり落ち難くなる。
【００１６】
左右の背帯で構成される面は平面となるため、反射板の機能を充分に導き出すことが可能となる。
【００１７】
また、左右の背帯とともに構成される平面には様々なアイテムを取り付けることができ、ファッションの可能性を高める。
【図面の簡単な説明】
【００１８】
【図１】図１は、背帯補助具の説明図である。（実施例１）
【図２】図２は、背帯補助具を背帯に取り付けた説明図である。（実施例１）
【図３】図３は、背帯補助具を背帯に取り付けた説明図である。（実施例１）
【図４】図４は、ホルダーを設けた背帯補助具の説明図である。（実施例２）
【図５】図５は、図４の断面図である。（実施例２）
【図６】図６は、背帯にホルダーを取り付けた説明図である。（実施例２）
【図７】図７は、左右のホルダーの間隔を調整する説明図である。（実施例３）
【図８】図８は、装飾の例を示した説明図である。（実施例４）
【図９】図９は、装飾の例を示した説明図である。（実施例４）
【図１０】図１０は、装飾の例を示した説明図である。（実施例５）
【考案を実施するための形態】
【００１９】
背帯補助具を簡単な構造で構成することにより、背帯に腕を通しやすくし、かつファッション性や付加機能の可能性を広げた。
【実施例１】
【００２０】
図１は、本願考案の背帯補助具の説明図である。背帯補助左Ｖ１と背帯補助右Ｖ２が背帯補助底Ｖ３で連結している構造を示している。
【００２１】
図２は、本願考案のＶ字型の背帯補助具を背帯Ｓに取り付けた状態を示している。該背帯Ｓの形状は帯状の他、紐状の形状でも対応できる。
【００２２】
リュック本体Ｒに、背帯左Ｓ１と背帯右Ｓ２が独立して取り付けられている。
【００２３】
前記背帯左Ｓ１に前記背帯補助左Ｖ１を固定し、前記背帯右Ｓ２に前記背帯補助右Ｖ２を固定し、該背帯左Ｓ１と該背帯右Ｓ２が連結される。
【００２４】
図３は、本願考案の背帯補助具で、Ｖ字型の底の広い背帯補助具を背帯Ｓに取り付けた状態を示している。該背帯Ｓの形状は帯状の他、紐状の形状でも対応できる。
【００２５】
リュック本体Ｒに、背帯左Ｓ１と背帯右Ｓ２が独立して取り付けられている。
【００２６】
前記背帯左Ｓ１に前記背帯補助左Ｖ１を固定し、前記背帯右Ｓ２に前記背帯補助右Ｖ２を固定し、該背帯左Ｓ１と該背帯右Ｓ２が連結される。
【００２７】
前記背帯左Ｓ１に前記背帯補助左Ｖ１を固定する位置と、前記背帯右Ｓ２に前記背帯補助右Ｖ２を固定する位置を調整し、該背帯左Ｓ１と該背帯右Ｓ２の間隔が異なる製品に対応させることができる。
【００２８】
実施例１においては、製造過程で取り付ける他、製造後に取り付けることができる。
【実施例２】
【００２９】
図４は本願考案の背帯補助具のホルダーＨを示している。
【００３０】
前記ホルダーＨは、ホルダー左Ｈ１とホルダー右Ｈ２が、ホルダー連結Ｈ３で連結している。該ホルダー連結Ｈ３は該ホルダー左Ｈ１と該ホルダー右Ｈ２を固定できれば足り、その形状は多様である。本図は基本的な２例を示している。
【００３１】
図５は、図４のＹ−Ｙ’の断面図である。
背帯通しＴは、前記ホルダー左Ｈ１と前記ホルダー連結Ｈ３により構成される背帯通しＴ１と、前記ホルダー右Ｈ２と該ホルダー連結Ｈ３により構成される背帯通しＴ２からなる。
【００３２】
図６は前記背帯左Ｓ１と前記背帯右Ｓ２がそれぞれ前記背帯通しＴ１と前記背帯通しＴ２に通され、前記ホルダー連結Ｈ３により連結されることを示している。
【実施例３】
【００３３】
図７は、前記ホルダー連結Ｈ３の左右を分離し、左右の間隔を調整可能とする例である。
ホルダーＨがリュック本体Ｒ１に接近した位置にある場合は、分離した該ホルダー連結Ｈ３を一定の間隔に固定しなくても機能するが、該リュック本体Ｒ１から離れた位置に設置する場合は、該ホルダー連結Ｈ３を固定するのが望ましい。
また、前記ホルダー左Ｈ１と前記ホルダー右Ｈ２をそれぞれ該ホルダー連結Ｈ３と独立して回転自在に設置できるように構成すれば、ホルダーＨの該ホルダー左Ｈ１と該ホルダー右Ｈ２の取り付け角度を調整することを可能にする。
【実施例４】
【００３４】
図８は、ホルダーＨに装飾を施した例である。
【００３５】
図９は、ホルダーＨに装飾を施した例である。
【実施例５】
【００３６】
図１０は、ホルダーＨをリュック本体Ｒ１離れた位置に設置し、装飾を施した例である。
ぬいぐるみ等を取り付けてファッションの可能性を高めたり、反射板を装着して交通安全に資することも可能である。
また、背帯が肩からずり落ちるのを予防する効果が高くなる。
【符号の説明】
【００３７】
Ｖ１  背帯補助左
Ｖ２  背帯補助右
Ｖ３  背帯補助底
Ｓ    背帯
Ｓ１  背帯左
Ｓ２  背帯右
Ｒ    リュック本体
Ｈ    ホルダー
Ｈ１  ホルダー左
Ｈ２  ホルダー右
Ｈ３  ホルダー連結
Ｔ    背帯通し
Ｔ１  背帯通し
Ｔ２  背帯通し
【図１】
0003191298.tif 000003
【図２】
0003191298.tif 000004
【図３】
0003191298.tif 000005
【図４】
0003191298.tif 000006
【図５】
0003191298.tif 000007
【図６】
0003191298.tif 000008
【図７】
0003191298.tif 000009
【図８】
0003191298.tif 000010
【図９】
0003191298.tif 000011
【図１０】
0003191298.tif 000012
【手続補正書】
【提出日】平成26年4月9日(2014.4.9)
【手続補正１】
【補正対象書類名】実用新案登録請求の範囲
【補正対象項目名】全文
【補正方法】変更
【補正の内容】
【実用新案登録請求の範囲】
【請求項１】
材料を用いてＶ字型または底辺の広いＶ字型に成型され、該Ｖ字型の各辺を夫々左右の背帯に固定して該左右の背帯を連結することを特徴とする背帯補助具。
【請求項２】
前記材料を組み合わせることによりＶ字型または底辺の広いＶ字型に成型されることを特徴とする請求項１に記載の背帯補助具。
【請求項３】
前記Ｖ字型の各辺に背帯を通すホルダーを備えることを特徴とする請求項１又は請求項２に記載の背帯補助具。
【請求項４】
前記Ｖ字型の各辺を分離し、該各辺が回転自在に連結され、あるいはＶ字型の底辺に独立したホルダー連結を設けて該各辺が回転自在に設置されていることを特徴とする請求項１から請求項３のいずれかに記載の背帯補助具。
【請求項５】
前記ホルダー連結の左右を分離し、該左右のホルダーがスライドして任意の間隔で前記Ｖ字型両辺を連結できることを特徴とする請求項１から請求項４のいずれかに記載の背帯補助具。